(57)【要約】【課題】ＡＬＣパネル等のパネルをパネル取付具を用いて建物躯体等に取り付ける際に、弾性キャップによりパネル取付具の抜け落ちを確実に防止することができると共に、パネルの挿入穴への弾性キャップの確実な挿入を確保することができる。【解決手段】パネル１ａ、１ｂに形成される挿入穴１０内に挿入される棒状体３１を有するパネル取付具３であって、棒状体３１の先端部に挿入穴１０の内面に弾力的に嵌合する弾性キャップ３２を被着し、棒状体３１、弾性キャップ３２及び挿入穴１０の製作誤差を含む値において、弾性キャップ３２の外径を挿入穴１０の内径よりも大きく設定すると共に、弾性キャップ３２の硬度をＨｓ７５以上Ｈｓ９５以下とする。【選択図】図３
2011236691.tif 000002
【特許請求の範囲】
【請求項１】
パネルに形成される挿入穴内に挿入される棒状体を有するパネル取付具であって、
前記棒状体の先端部に前記挿入穴の内面に弾力的に嵌合する弾性キャップを被着し、
前記棒状体、前記弾性キャップ及び前記挿入穴の製作誤差を含む値において、前記弾性キャップの外径を前記挿入穴の内径よりも大きく設定すると共に、
前記弾性キャップの硬度をＨｓ７５以上Ｈｓ９５以下とすることを特徴とするパネル取付具。
【請求項２】
前記弾性キャップの外周面に軸方向に延びる溝を、周方向に所定間隔を開けて複数設けることを特徴とする請求項１記載のパネル取付具。
【発明の詳細な説明】
【技術分野】
【０００１】
本発明は、例えばＡＬＣ（軽量気泡コンクリート）パネル等のパネルを建築物の躯体あるいは開口部に取り付けて壁面を形成する場合などに用いるパネル取付具に関する。
【背景技術】
【０００２】
従来、ＡＬＣパネル等のパネルを建築物の躯体や開口部に取付けて壁面を形成する際のパネル取付構造は種々提案されており、その１つとして、特許文献１には、図５に示すように金属鋼板等よりなる基板３０の一方の面に、丸棒鋼等の棒状体３１を略垂直に起立させた状態で溶接等で一体的に固着してなるパネル取付具３を用いたパネル取付構造が提案されている。
【０００３】
図５のパネル取付構造は、パネル取付具３により建築物の窓等の開口部の上方に、ＡＬＣパネル等のパネル１でまぐさ壁等を形成する場合の構成例であり、パネル１の下部の小口面に予め形成した挿入穴１０内に、パネル取付具３の棒状体３１を挿入して基板３０を前記小口面に当接させ、その基板３０とパネル１とを、前記開口部に沿って設けた水平片２１と垂直片２２とからなるアングル材であるパネル支持部材２の水平片２１の上面に載置し、基板３０を水平片２１に溶接等で固着してパネル１を所定の位置に配置固定するようになっている。
【０００４】
しかしながら、このパネル取付構造では、挿入穴１０に対する棒状体３１の嵌め合わせがきついと、棒状体３１の挿入穴１０への挿入が困難になったり、挿入穴１０の周囲のパネル１の一部が損傷したり破損する等のおそれがある。逆に、挿入穴１０に対する棒状体３１の嵌め合わせが緩いと、例えば下向きに開口した挿入穴１０内に棒状体３１を挿入した状態でパネル取付具３をパネル１と共に持ち運んだり、所定の位置に配置する際に、パネル取付具３が抜け落ちるおそれがある。
【０００５】
かかる問題点に対応すべく、特許文献２では、棒状体の周面に突起を設け、その棒状体を挿入穴内に挿入したときに、前記突起が挿入穴の内周面に食い込んでパネル取付具が抜け落ちることを防止することが提案されているが、この構成では、突起が挿入穴の内周面に食い込むときに突起のメッキが剥がれて発錆の原因になる、パネルを所定の位置に配置する際に取付具にぶつかり等で外力が加わると抜け落ちる、例えば地震等により躯体が大きく振動したり変形した場合には突起が挿入穴の内周面に深く食い込んでパネルに亀裂が生じたり、破損して欠落する等のおそれがある。
【０００６】
そこで、特許文献３においては、パネル取付具の棒状体の先端部にゴム等よりなる弾性キャップを被着させて設け、そのパネル取付具の棒状体を弾性キャップとともにパネルの小口面に形成した挿入穴内に挿入する構成が提案されている。この構成は、弾性キャップの圧縮変形による挿入穴内への弾性キャップの容易な挿入、棒状体、弾性キャップや挿入穴の若干の製作誤差の弾性キャップの弾力による吸収、パネル取付具の不用意な抜け落ちの防止、パネルの破損や錆の発生の防止を意図している。
【先行技術文献】
【特許文献】
【０００７】
【特許文献１】実開昭５８−８５００８号公報
【特許文献２】特開昭６３−２６５０４６号公報
【特許文献３】特開２００７−１３２０３３号
【発明の概要】
【発明が解決しようとする課題】
【０００８】
ところが、特許文献３のパネル取付具の如く、単に棒状体の先端部の弾性キャップをパネル小口面の挿入穴内に挿入する構成では、棒状体、弾性キャップ、挿入穴のある程度以上の製作誤差が生じて、弾性キャップの直径が挿入穴径よりも小さくなった場合には、嵌合が緩くなってパネル取付具が抜け落ちる虞がある。また、挿入する弾性キャップの直径を挿入穴の穴径よりも大きくした場合に、弾性キャップが柔らかいゴム等の素材では、素材が破れて挿入できない虞もある。
【０００９】
本発明は上記課題に鑑みて提案するものであって、ＡＬＣパネル等のパネルをパネル取付具を用いて建物躯体等に取り付ける際に、弾性キャップによりパネル取付具の抜け落ちを確実に防止することができると共に、パネルの挿入穴への弾性キャップの確実な挿入を確保することができるパネル取付具を提供することを目的とする。
【課題を解決するための手段】
【００１０】
本発明のパネル取付具は、パネルに形成される挿入穴内に挿入される棒状体を有するパネル取付具であって、前記棒状体の先端部に前記挿入穴の内面に弾力的に嵌合する弾性キャップを被着し、前記棒状体、前記弾性キャップ及び前記挿入穴の製作誤差を含む値において、前記弾性キャップの外径を前記挿入穴の内径よりも大きく設定すると共に、前記弾性キャップの硬度をＨｓ７５以上Ｈｓ９５以下とすることを特徴とする。
この構成によれば、棒状体、弾性キャップ及び挿入穴の製作誤差を含む値において、弾性キャップの外径を挿入穴の内径よりも大きく設定することにより、ＡＬＣパネル等のパネルをパネル取付具を用いて建物躯体等に取り付ける際に、弾性キャップによりパネル取付具の抜け落ちを確実に防止することができる。また、弾性キャップの硬度をＨｓ７５以上Ｈｓ９５以下とすることにより、弾性キャップの必要十分な圧縮変形を得て且つ弾性キャップの破れ等の破損を防止して、パネルの挿入穴への弾性キャップの確実な挿入を確保することができる。更に、弾性キャップの硬度をＨｓ７５以上Ｈｓ９５以下とすることにより、硬いゴム等の素材をパネルに確実に喰い込ませ、パネル取付具の抜け落ちをより確実に防止することができる。
【００１１】
また、本発明のパネル取付具は、前記弾性キャップの外周面に軸方向に延びる溝を、周方向に所定間隔を開けて複数設けることを特徴とする。
この構成によれば、弾性キャップの断面形状が歯車型となって、弾性キャップと挿入穴の内面との接触面積を少なくして挿入時の摩擦抵抗を低減でき、更に、弾性キャップの溝以外の当接部を溝内を利用して変形することを可能にし、弾性キャップの変形可能量を大きくすることができることから、弾性キャップが大きめで嵌め合わせがきつい場合等でも、棒状体及び弾性キャップの挿入穴への一層容易な挿入を確保することができる。また、弾性キャップを挿入穴に挿入した状態では、弾性復帰した弾性キャップがより強くパネルに食い込んで強く嵌合され、更に、弾性キャップの溝以外の当接部の挿入穴内面に接触する面積も、弾性キャップに突起や突条を形成してこれらを接触する場合に比べて大きく確保でき十分な接触面積を有することから、パネル取付具の抜け落ちを一層確実に防止することができる。また、弾性キャップの材質を硬度Ｈｓ７５以上Ｈｓ９５以下とし、且つその断面形状を歯車型にすることによって、弾性キャップの直径をより大きく設計することが可能となる。
【発明の効果】
【００１２】
本発明のパネル取付具は、ＡＬＣパネル等のパネルをパネル取付具を用いて建物躯体等に取り付ける際に、弾性キャップによりパネル取付具の抜け落ちを確実に防止することができる。従って、例えば下向きに開口した挿入穴内にパネル取付具の棒状体を挿入した状態でパネルを持ち運んだり、所定の施工位置等に配置する際に、パネル取付具が不用意に抜け落ちることを確実に防止することができる。また、弾性キャップの硬度をＨｓ７５以上Ｈｓ９５以下とすることにより、弾性キャップの必要十分な圧縮変形を得て且つ弾性キャップの破れ等の破損を防止して、パネルの挿入穴への弾性キャップの確実な挿入を確保することができる。更に、弾性キャップの硬度をＨｓ７５以上Ｈｓ９５以下とすることにより、硬いゴム等の素材をパネルに確実に喰い込ませ、パネル取付具の抜け落ちをより確実に防止することができる。
【００１３】
同時に、地震等で躯体が大きく振動したり変形した場合にも、弾性キャップの緩衝作用で振動等を軽減できると共に、棒状体が挿入穴の内面に直接当たることがないから、パネルに損傷や亀裂が生じたりパネルが欠落することを防止することができる。また、棒状体、弾性キャップ及び挿入穴の製作誤差等を吸収できるから製造時の歩留まりが向上して容易・安価な製造が可能である。また、弾性キャップを用いることにより、錆の発生も防止することができる。
【図面の簡単な説明】
【００１４】
【図１】本発明による第１実施形態のパネル取付具を用いたパネル取付構造を示す縦断面図。
【図２】図１のパネル取付構造の要部の斜視図。
【図３】第１実施形態のパネル取付具の斜視図。
【図４】（ａ）は第２実施形態のパネル取付具における弾性キャップの平面図、（ｂ）は第２実施形態のパネル取付具における弾性キャップの正面図。
【図５】従来のパネル取付構造の一例を示す斜視図。
【発明を実施するための形態】
【００１５】
〔第１実施形態のパネル取付具及びパネル取付構造〕
本発明による第１実施形態のパネル取付具及びそのパネル取付具を用いたパネル取付構造について説明する。図１は本発明による実施形態のパネル取付具を用いたパネル取付構造を示す縦断面図、図２は図１のパネル取付構造の要部の斜視図、図３は実施形態のパネル取付具の斜視図である。
【００１６】
第１実施形態におけるパネル取付構造は、図１及び図２に示すように、ビル等の建築物Ａにおける窓等の開口部Ａ１の上側と下側とに設けられる、まぐさ壁と腰壁とを形成するためのパネル１ａ、１ｂに適用したものであり、パネル１ａ、１ｂとして本例ではＡＬＣパネルが用いられている。
【００１７】
開口部Ａ１には、その開口縁部に沿うようにしてパネル支持部材２が設けられ、パネル支持部材２は、水平片２１と垂直片２２とからなるアングル材である上下一対の横材２ａ、２ｂと、図１で前後一対の縦材（図では手前側の縦材は不図示）２ｃ、２ｃとで略方形枠状に形成されている。各横材２ａ、２ｂの両端部は、それぞれ縦材２ｃ、２ｃの側面に溶接等で一体的に固着され、各縦材２ｃの上下両端部は、それぞれ建築物の梁材等の躯体に取り付け支持されている（図示省略）。
【００１８】
上記まぐさ壁と腰壁とを形成するための上下のパネル１ａ、１ｂは、それぞれ上側の横材２ａの上方と下側の横材２ｂの下方とに配置され、上側のパネル１ａの下部は上側の横材２ａに、また下側のパネル１ｂの上部は下側の横材２ｂに、それぞれパネル取付具３を介して取り付けられている。
【００１９】
第１実施形態のパネル取付具３は、図３に示すように、金属鋼板等よりなる基板３０の一方の面に、金属棒鋼等よりなる棒状体３１を略垂直に起立させた状態で溶接等により一体的に固着し、棒状体３１の基板３０と反対側の先端部にゴム等よりなる有底略筒状の弾性キャップ３２を嵌めた構成である。尚、図示例の棒状体３１は丸棒鋼を用いたものであるが、角棒鋼等の適宜形状の棒状体を用いることが可能である。
【００２０】
各パネル取付具３は、各基板３０をアングル材である横材２ａ、２ｂの水平片２１の上面側又は下面側に配置して溶接等で取り付けられると共に、先端部に弾性キャップ３２が被着されている各棒状体３１を、パネル１ａ、１ｂの小口面に形成されている挿入穴１０内に挿通して嵌合され、棒状体３１の弾性キャップ３２が挿入穴１０の内面に弾力的に圧接嵌合されるようになっている。
【００２１】
そして、パネル取付具３においては、棒状体３１、弾性キャップ３２及び挿入穴１０の製作誤差を含む値において、弾性キャップ３２の外径が挿入穴１０の内径よりも大きく設定されていると共に、弾性キャップ３２は、硬度Ｈｓ７５以上Ｈｓ９５以下のゴム等の弾性材で形成されている。
【００２２】
尚、各パネル１ａ、１ｂの小口面と、横材２ａ、２ｂの水平片２１との間には基板３０が介在し、基板３０が存在する箇所以外の各パネル１ａ、１ｂの小口面と横材２ａ、２ｂの水平片２１との間には、基板３０の厚さに相当する空隙が設けられている。この空隙によって例えば地震等で躯体が変形もしくは変位したときに、各パネル１ａ、１ｂがパネル支持部材２に押し付けられて損傷することを防止することができる。また、パネル１ａの上部及びパネル１ｂの下部は、それぞれ従来公知のいわゆるイナズマプレートやアングル材等を介して梁材等の建物躯体に取り付けられている（図示省略）。図１において、１１は開口部Ａ１の側方に設けられるパネル又は柱である。
【００２３】
第１実施形態においては、パネル取付具３の棒状体３１の先端部にゴム等の弾性キャップ３２を挿入嵌合し、棒状体３１及び弾性キャップ３２を挿入穴１０の内面に弾力的に圧接嵌合するようにしたことから、例えば図２のように下向きに開口した挿入穴１０内にパネル取付具３の棒状体３１を挿入した状態でパネル１ａ、１ｂを持ち運んだり、所定の施工位置に配置する際にパネル取付具３が不用意に抜け落ちることを抑制することができる。また、地震等で躯体が大きく振動したり変形した場合にも、弾性キャップ３２の緩衝作用で振動等を軽減できると共に、棒状体３１が挿入穴１０の内面に直接当たることがないことから、パネル１ａ、１ｂに損傷や亀裂が生じたり、パネル１ａ、１ｂが欠落することを防止できる。また、パネル取付具３の棒状体３１を挿入穴１０内に挿入する際には、弾性キャップ３２を圧縮変形して挿入することができると共に、棒状体３１、弾性キャップ３２及び挿入穴１０に製作誤差等があっても、弾性キャップ３２の弾力で吸収することが可能なことから、製造時の歩留まりを向上して容易且つ安価な製造が可能となる。
【００２４】
更に、弾性キャップ３２の直径を製作誤差を含む最大値において挿入穴１０の直径よりも大きく設定することにより、パネル取付具３の抜け落ちを確実に防止することができる。また、弾性キャップ３２の硬度をＨｓ７５以上Ｈｓ９５以下とすることにより、弾性キャップ３２の必要十分な圧縮変形を得て且つ弾性キャップ３２の破れ等の破損を防止して、挿入穴１０への弾性キャップ３２の確実な挿入を確保することができる。更に、弾性キャップ３２の硬度をＨｓ７５以上Ｈｓ９５以下とすることにより、硬いゴム等の素材をパネル１ａ、１ｂに確実に喰い込ませ、パネル取付具３の抜け落ちをより確実に防止することができる。
【００２５】
〔第２実施形態のパネル取付具〕
次に、第２実施形態のパネル取付具について説明する。図４は第２実施形態のパネル取付具における弾性キャップの平面図及び正面図である。
【００２６】
第２実施形態のパネル取付具３ｍは、第１実施形態と同様のパネル取付構造等に用いられるものであり、図４に示すように、第１実施形態と同一の基板３０に設けられる棒状体３１とを有し、棒状体３１に被着される弾性キャップ３２ｍだけが第１実施形態と異なる。弾性キャップ３２ｍは、棒状体３１の基板３０と反対側の先端部に嵌められるゴム等よりなる有底略筒状で、基本的な形状は第１実施形態と同一であるが、その外周面に軸方向（棒状体３１の挿入方向）に延びる溝３３ｍが形成されており、溝３３ｍは周方向に所定間隔を開けて複数形成されている。棒状体３１への被着時の弾性キャップ３２ｍの外径が１４〜２４ｍｍである場合に、例えば溝３３ｍは周方向に略等間隔で３〜１８個形成し、その溝幅を１ｍｍ以上４ｍｍ以下、その溝深さを０．５ｍｍ以上３ｍｍ以下とすると好適であり、図示例における溝３３ｍは弾性キャップ３２ｍの全周に亘って等間隔で１２個形成し、その溝幅は２ｍｍ、その溝深さは１ｍｍで形成している。
【００２７】
溝３３ｍ・３３ｍの間の部分は、図示省略する挿入穴１０の内面と当接して嵌合する当接部３４ｍになっている。当接部３４ｍは、棒状体３１に被着された弾性キャップ３２ｍの外径を構成し、パネル取付具３においては、棒状体３１、弾性キャップ３２ｍ及び挿入穴１０の製作誤差を含む値において、弾性キャップ３２ｍの外径が挿入穴１０の内径よりも大きく設定されている。尚、弾性キャップ３２ｍは、第１実施形態と同様に、硬度Ｈｓ７５以上Ｈｓ９５以下のゴム等の弾性材で形成されている。
【００２８】
第２実施形態においては、弾性キャップ３２ｍの断面形状が歯車型となって、弾性キャップ３２ｍと挿入穴１０の内面との接触面積を少なくして挿入時の摩擦抵抗を低減でき、更に、弾性キャップ３２ｍの溝３３ｍ以外の当接部３４ｍを溝３３ｍ内を利用して変形することを可能にし、弾性キャップ３２ｍの変形可能量を大きくすることができることから、弾性キャップ３２ｍが大きめで嵌め合わせがきつい場合等でも、棒状体３１及び弾性キャップ３２ｍの挿入穴１０への一層容易な挿入を確保することができる。
【００２９】
また、弾性キャップ３２ｍを挿入穴１０に挿入した状態では、弾性復帰した弾性キャップ３２ｍがより強く挿入穴１０に食い込んで強く嵌合され、更に、弾性キャップ３２ｍの溝３３ｍ以外の当接部３４ｍの挿入穴１０の内面に接触する面積も、弾性キャップに突起や突条を形成してこれらを接触する場合に比べて大きく確保でき十分な接触面積を有することから、パネル取付具３ｍの抜け落ちを一層確実に防止することができる。また、弾性キャップ３２ｍの材質を硬度Ｈｓ７５以上Ｈｓ９５以下とし、且つその断面形状を歯車型にすることによって、弾性キャップ３２ｍの直径をより大きく設計することが可能となる。
【００３０】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例も包含する。例えば本発明のパネル取付具は、上記実施形態のような、まぐさ壁や腰壁に限らず、一般の壁、および布基礎用、躯体用等の壁を形成する場合にも適用可能である。
【産業上の利用可能性】
【００３１】
本発明のパネル取付具は、例えばＡＬＣパネル等のパネルを建築物の躯体あるいは開口部に取り付けて壁面を形成する場合等に利用することができる。
【符号の説明】
【００３２】
１ａ、１ｂ…パネル  １０…挿入穴  １１…パネル又は柱  ２…パネル支持部材  ２１…水平片  ２２…垂直片  ２ａ、２ｂ…横材  ２ｃ…縦材  ３、３ｍ、３ｎ…パネル取付具  ３０…基板  ３１…棒状体  ３２、３２ｍ…弾性キャップ  ３３ｍ…溝  ３４ｍ…当接部  Ａ…建築物  Ａ１…開口部
【図１】
2011236691.tif 000003
【図２】
2011236691.tif 000004
【図３】
2011236691.tif 000005
【図４】
2011236691.tif 000006
【図５】
2011236691.tif 000007